(57)【要約】【課題】回動具を有さない場合又はピンの頭部に形成された小溝部に適合する回動具を有さない場合であっても、ピンを容易に回動することができるプッシュリベットを提供する。【解決手段】内方に向けて突出する係止部４ｂが形成された脚部４を有する本体部２と、頭部１１から下方に突出し、側面に凹部１４が形成された軸部１２を有するピン１０と、からなり、ピン１０を押圧することにより、脚部４を拡開させると共に、凹部１４に係止部４ｂを係止させて被留め付け物Ｐ，Ｑを留め付け、一方で、ピン１０の頭部１１に形成された回動手段１３によりピン１０を回動させて係止状態を解除するプッシュリベット１あって、回動手段１３は、大溝部１３ａと、この大溝部１３ａよりも幅の小さい小溝部１３ｂと、を有することを特徴とする。【選択図】図１
0003126590.tif 000002
【実用新案登録請求の範囲】
【請求項１】
内方に向けて突出する係止部が形成された脚部を有する本体部と、
頭部から下方に突出し、側面に凹部が形成された軸部を有するピンと、からなり、
前記本体部に回動可能に挿通された前記ピンを押圧することにより、前記脚部を拡開させると共に、前記凹部に前記係止部を係止させて被留め付け物を留め付け、
一方で、前記ピンの頭部に形成された回動手段により前記ピンを回動させて係止状態を解除するプッシュリベットあって、
前記回動手段は、大溝部と、この大溝部よりも幅の小さい小溝部と、を有することを特徴とするプッシュリベット。
【請求項２】
前記軸部、前記大溝部及び前記小溝部のそれぞれの中心は、平面視して略重なることを特徴とする請求項１に記載のプッシュリベット。
【請求項３】
内方に向けて突出する係止部が形成された脚部を有する本体部と、
頭部から下方に突出し、側面に凹部が形成された軸部を有するピンと、からなり、
前記本体部に回動可能に挿通された前記ピンを押圧することにより、前記脚部を拡開させると共に、前記凹部に前記係止部を係止させて被留め付け物を留め付け、
一方で、前記ピンの頭部に形成された回動手段により前記ピンを回動させて係止状態を解除するプッシュリベットあって、
前記回動手段は、前記頭部に凸設された突起部を有することを特徴とするプッシュリベット。
【請求項４】
前記突起部は、前記頭部の中心を通って略直線状に形成されており、両端の幅よりも中央の幅の方が狭いことを特徴とする請求項３に記載のプッシュリベット。
【考案の詳細な説明】
【技術分野】
【０００１】
本考案は、例えば、複数の部材に形成された貫通孔を連通させ、当該部材同士を留め付けるプッシュリベットの構造に関する。
【背景技術】
【０００２】
例えば、特開平５−３０２６０９号公報には、ピン挿入孔及び拡開する脚部を有する本体部と、このピン挿入孔に挿入されるピンとからなるプッシュリベットが記載されている。このプッシュリベットは、ピンを上方から押圧することにより脚部を拡開させると共に、ピンに形成されている凹部と、脚部に形成されている係止部を係止させて、板材などの複数の被留め付け物を留め付けるものである。
一方、プッシュリベットの係止状態を解除する場合は、ピンの頭部に設けられた十字状の溝（以下、小溝部とする）にドライバーなどの回動具の先端部を係合させて回動させると、ピンの凹部から本体部の係止部が外れると共に、本体部に形成された押上げ部によりピンが上方に押し上げられ、留め付け状態が解除される。
従来は、例えば複数の板材を留め付けるには、ボルトとナットで留め付けることが一般的であったが、このようなプッシュリベットによれば、押圧するだけで被留め付け物を留め付けることができると共に、ピンを回動させることで解体することができるため作業性が高く、様々な用途で用いられていた。
【考案の開示】
【考案が解決しようとする課題】
【０００３】
しかしながら、当該プッシュリベットにおいては、前記凹部と前記係合部が係止されているため、回動具を有していない場合はプッシュリベットの係止状態を解除することができないという問題があった。また、回動具を有していたとしても、ピンの頭部に形成された小溝部の幅及び長さと、回動具の先端に形成されたネジ山部の幅及び長さとが適合しない場合においては、当該回動具で無理やり回動させると小溝部が欠損してしまい、プッシュリベットの係止状態を解除することができなくなってしまうという問題があった。
本考案は、かかる課題を解決するためになされたものであり、回動具を有さない場合又はピンの頭部に形成された小溝部に適合する回動具を有さない場合であっても、ピンを容易に回動することができるプッシュリベットを提供することを課題とする。
【課題を解決するための手段】
【０００４】
上記課題を解決するために本考案は、内方に向けて突出する係止部が形成された脚部を有する本体部と、頭部から下方に突出し、側面に凹部が形成された軸部を有するピンと、からなり、前記本体部に回動可能に挿通された前記ピンを押圧することにより、前記脚部を拡開させると共に、前記凹部に前記係止部を係止させて被留め付け物を留め付け、一方で、前記ピンの頭部に形成された回動手段により前記ピンを回動させて係止状態を解除するプッシュリベットあって、前記回動手段は、大溝部と、この大溝部よりも幅の小さい小溝部と、を有することを特徴とする。
【０００５】
かかる考案によれば、ピンを回動させる回動手段に小溝部よりも溝の幅が広い大溝部を有するため、小溝部に回動具のネジ山部が係合しない場合であっても、例えば、コインのような扁平な部材を大溝部に係合させることにより、ピンを容易に回動させることができる。
ここで、本考案において、回動具とはプラスドライバー又はマイナスドライバーなど軸の先端に所定の幅及び長さからなるネジ山部を有し、ネジなどに形成された溝と係合させて回動させる器具をいう。
【０００６】
また、本考案は、前記軸部、前記大溝部及び前記小溝部のそれぞれの中心は、平面視して略重なるように形成してもよい。
【０００７】
かかる考案によれば、各部が同心となるため、ピンを容易に回動させることができる。
【０００８】
また、本考案は、内方に向けて突出する係止部が形成された脚部を有する本体部と、頭部から下方に突出し、側面に凹部が形成された軸部を有するピンと、からなり、前記本体部に回動可能に挿通された前記ピンを押圧することにより、前記脚部を拡開させると共に、前記凹部に前記係止部を係止させて被留め付け物を留め付け、一方で、前記ピンの頭部に形成された回動手段により前記ピンを回動させて係止状態を解除するプッシュリベットあって、前記回動手段は、前記頭部に凸設された突起部を有することを特徴とする。
【０００９】
かかる考案によれば、突起部に指などを当接させることにより、容易にピンを回動させることができる。
【００１０】
また、本考案に係る突起部は、前記頭部の中心を通って略直線状に形成されており、両端の幅よりも中央の幅の方が狭く形成されてもよい。
【００１１】
かかる考案によれば、略直線状に形成された突起部の中央は、両端よりもくびれているため指が当接しやすく、容易に回動させることができる。
【考案の効果】
【００１２】
本考案によれば、容易にピンを回動させてプッシュリベットの係止状態を解除することができるため、複数の被留め付け物が留め付けられた状態を容易に解体することができる。
【考案を実施するための最良の形態】
【００１３】
［第一実施形態］
図面を参照して、本考案の最良の実施の形態を詳細に説明する。図１は、本実施形態に係るプッシュリベットの留め付け状態を示した正面図である。図２は、本実施形態に係るプッシュリベットの係止状態を示した全体斜視図である。図３は、本実施形態に係るプッシュリベットを上方から見た分解斜視図である。図４は、本実施形態に係るプッシュリベットを下方から見た分解斜視図である。図５は、図２のＡ矢視方向において、第一実施形態に係るプッシュリベットの解除状態を示した側面図である。図６は、第一実施形態に係るプッシュリベットの使用例を示した斜視図である。
【００１４】
プッシュリベット１は、図１及び図２に示すように、本体部２と、この本体部２に挿入されたピン１０とからなる。
本体部２は、図１及び図３に示すように、下面が被留め付け物Ｑに当接されるフランジ部３と、フランジ部３から下方に延出する脚部４と、フランジ部３の中央を貫通するピン挿通孔５と、ピン１０の頭部１１の下面に当接される中段部６と、を有する。
【００１５】
脚部４は、図４に示すように、ピン挿通孔５を内包しフランジ部３の下面から下方に突出されており、本実施形態においては、スリット７，７，７，７を設けて４分割され、分割脚部４ａ，４ａ，４ａ，４ａを形成している。分割脚部４ａは、下端が自由端になっており、略中央から下方に向かうにしたがって内側に傾斜している。分割脚部４ａの下部内側には、後記する凹部１４に係止され、内側に向けて突出する係止部４ｂが形成されている。
【００１６】
脚部４は、ピン挿通孔５に挿通されたピン１０によって、貫通孔Ｒの縁部よりも外側に拡開されると共に、凹部１４に係止部４ｂが係止されることにより拡開状態を維持し、もって被留め付け物Ｐ及びＱを留め付けるものである。脚部４は、本実施形態においては４分割されているが、分割される数を限定する趣旨ではなく、分割せずに一体形成されてもよい。
なお、図１及び図２に示すように、本実施形態の説明において、係止部４ｂが凹部１４に係止された状態を係止状態ともいう。一方、図５に示すように、係止部４ｂが凹部１４に係止されていない状態を解除状態ともいう。
【００１７】
ピン挿入孔５は、図３に示すように、本実施形態においては平面視円形状を呈し、本体部２の中央を貫通して、ピン１０が挿通されるように形成されている。
中段部６は、フランジ部３の内部に平面視リング状に形成され、内径が軸部１０の直径よりもやや大きく、外径をピン１０の頭部１１の直径よりもやや大きく形成されている。中段部６の上面には、中段部６の内径及び外径に沿いながら上方に向かって滑らかに傾斜する押し上げ部６ａ，６ａ，６ａ，６ａが等間隔に形成されている。中段部６は、ピン１０が押圧され係止状態となった場合に、ピン１０の頭部１１の下面に当接される部分である。
なお、フランジ部３は、平面視略矩形であって、角が面取り加工されているため、外縁が円であるプッシュリベットに比べて転がりにくい。また、フランジ部３には、図２に示すように、本実施形態においては、外郭４辺に内側に向けて弧を描くように窪み部３ａが形成されている。窪み部３ａを有することにより、指が窪み部３ａに当接し、プッシュリベット１を好適に保持することができる。
【００１８】
ピン１０は、図３に示すように、平面視円形状を呈する頭部１１と、頭部１１から略垂直に突出する軸部１２を有する。頭部１１と軸部１２は、同心となるように形成されている。頭部１１は、図５に示すように、中央に向けて漸次厚くなるように形成されている。頭部１１の上面には回動手段１３が形成されている。
【００１９】
軸部１２は、図３に示すように、頭部１１から略垂直に円柱状に突出し、軸部１２の外周には、分割脚部４ａの係止部４ｂに係止される凹部１４が形成されている。凹部１４は、本実施形態においては、係止部４ｂに対応して４箇所形成されている。軸部１２の下部には、図１及び図４に示すように、基端から先端に向って幅狭となるテーパー部１５が備えられ、テーパー部１５の下部は、解除状態において係止部４ｂが遊嵌するように、遊空部１６が形成されている。頭部１１の下面には、図４に示すように、押し上げ部６ａと当接して押し上げられる突起片１１ａが中心を挟んで二箇所に形成されている。
【００２０】
回動手段１３は、図２に示すように、本実施形態においては、幅の広い大溝部１３ａと大溝部１３ａよりも幅の狭い小溝部１３ｂとからなり、共に平面視略十字状を呈する。小溝部１３ｂは、大溝部１３ａの内部に形成され、軸部１２、大溝部１３ａ及び小溝部１３ｂのそれぞれの中心は、平面視して略重なるように形成されている。
大溝部１３ａは、溝幅及び溝の長さが小溝部１３ｂの溝幅及び溝の長さより大きく、さらに、頭部１１が上方に向けて湾曲しているので大きい溝高さを形成している。従って、例えば、コインなど扁平な板材を用いて大溝部１３ａに係合させてピン１０を回動させることができる。
【００２１】
一方、小溝部１３ｂは、大溝部１３ａの内部に形成され、大溝部１３ａよりも狭い溝幅及び溝の長さからなるため、例えば、ドライバーなど先端の尖った回動具（図示せず）のネジ山部と小溝部１３ｂを係合させて、好適に回動させることができる。
【００２２】
なお、回動手段１３は、本実施形態においては、前記のように形成したが、これに限定される趣旨ではない。回動手段１３は、ピン１０を回動させるために形成されるものであるため、例えば、溝ではなく頭部１１の上面から凸設された突起部を設けてもよい。また、回動手段１３に係る溝の形状、大きさ及び個数等も他の構成であってもよい。即ち、回動手段１３は、プッシュリベット１の用途、大きさ等に応じて適宜設定すればよい。
また、本実施形態においては、ピン１０の頭部１１は、中央に向けて漸次厚くなるように形成されているが、これに限定する趣旨ではなく、平坦であってもよい。
【００２３】
次に、プッシュリベット１の使用方法を、図６を参照しながら、パソコンラックの支柱Ｐに背板パネルＱ（以下、板材Ｐ，Ｑとする）を留め付ける場合を例にして説明する。図６は、本実施形態に係るプッシュリベットの使用例を示した斜視図である。
【００２４】
＜留めつける場合＞
プッシュリベット１は、解除状態においては、図５に示すように、ピン１０の遊空部１６（図１参照）に分割脚部４ａの係止部４ｂが遊嵌されると共に、ピン１０の頭部１１は、本体部２のフランジ部３から離間した状態となっている。
利用者は、板材Ｐ，Ｑの貫通孔Ｒを連通させた後、ピン１０の先端を貫通孔Ｒに宛がい、ピン１０を上方から押圧する。そして、フランジ部３の下面と板材Ｑの上面が当接した後、さらにピン１０を押圧して押し進めると、分割脚部４ａの係止部４ｂがピン１０のテーパー部１５に沿って押し広げられながら摺動し、分割脚部４ａが拡開される。頭部１１の下面と中段部６が当接するまでピン１０を押圧すると、係止部４ｂが凹部１４に係止され、係止状態が維持される。
係止状態におけるプッシュリベット１は、図１に示すように、貫通孔Ｒの縁よりも、拡開された分割脚部４が外側に開くため、板材Ｐ，Ｑが留め付けられた状態を維持することができる。また、分割脚部４ａは、図４に示すように、下端が自由端になっており、略中央から下方に向って内側に漸次傾斜しているため、付勢力が働き強固に係止される。
【００２５】
＜解除する場合＞
本実施形態に係るプッシュリベット１に係る回動手段１３は、大溝部１３ａと小溝部１３ｂが形成されているため、所有している回動具のネジ山部の厚さ及び長さと適合する溝と回動具を係合させて回動すればよい。例えば、比較的小さいプラスドライバーを所有している場合は、小溝部１３ｂと当該プラスドライバーを係合させて回動すればよい。また、例えば、回動具を所有していない場合は、コインなどの扁平な部材を大溝部１３ａに係合させて回動させればよい。
ピン１０は、回動されると頭部１１の下面に形成されている突起片１１ａ（図４参照）と、本体部２の中段部６に形成されている押上げ部６ａ（図３参照）とが当接されて、押し上げ部６ａの傾斜に沿って突起片１１ａが上方に押し上げられる。すると、凹部１４から係止部４ｂが外れると共に、分割脚部４ａが拡開した状態が解かれるため、係止状態を解除することができる。
【００２６】
以上説明したように、本実施形態にかかるプッシュリベット１によれば、ピン１０の頭部１１には、小溝部１３ｂよりも溝の幅及び長さが大きい大溝部１３ａを有するため、小溝部１３ｂに回動具のネジ山部が係合しない場合であっても、例えば、コインのような扁平な部材を大溝部１３ａに係合させることにより、ピン１０を容易に回動させることができる。
【００２７】
また、ピン１０の軸部１２の中心と、大溝部１３ａ及び小溝部１３ｂの中心が略同心となるため、ピン１０を容易に回動させることができる。
【００２８】
以上、本考案のプッシュリベット１の最良の実施形態について詳細に説明したが、本考案の趣旨に反しない範囲において、適宜変更が可能である。本考案の他の実施形態を以下に説明する。なお、第一実施形態と同一の部材については、同一の符号を付すものとし、重複する説明は省略する。
【００２９】
［第二実施形態］
第二実施形態に係るプッシュリベット３０は、図７に示すように、ピン１０の頭部１１に突起部１３ｃが形成されていることを特徴とする。本実施形態に係る突起部１３ｃは、頭部１１の中心を通って略直線状に凸設されている。突起部１３ｃの中央には、両端に比べて幅狭となるようにくびれが形成されている。
プッシュリベット３０によれば、突起部１３ｃに指などを当接させることにより、容易にピン１０を回動させることができる。また、略直線状に形成された突起部１３ｃの中央は、両端よりもくびれているため指が当接しやすく、より容易に回動させることができる。
【００３０】
なお、第二実施形態においては、突起部１３ｃは、前記したように形成したが、これに限定される趣旨ではない。例えば、突起部１３ｃは、平面視十字状に形成されてよいし、錐台形状の突起部１３ｃを複数設けてもよい。即ち、プッシュリベットの用途、大きさ等に沿って、適宜設定すればよい。
また、回動手段１３は、大溝部１３ａ、小溝部１３ｂ及び突起部１３ｃのうち１種又は２種以上を組み合わせて形成してもよい。
【図面の簡単な説明】
【００３１】
【図１】第一実施形態に係るプッシュリベットの留め付け状態を示した正面図である。
【図２】第一施形態に係るプッシュリベットの係止状態を示した全体斜視図である。
【図３】第一施形態に係るプッシュリベットを上方から見た分解斜視図である。
【図４】第一実施形態に係るプッシュリベットを下方から見た分解斜視図である。
【図５】図２のＡ矢視方向において、第一実施形態に係るプッシュリベットの解除状態を示した側面図である。
【図６】第一実施形態に係るプッシュリベットの使用例を示した斜視図である。
【図７】第二実施形態に係るプッシュリベットの斜視図である。
【符号の説明】
【００３２】
１      プッシュリベット
２      本体部
３      フランジ部
４      脚部
４ａ    分割脚部
４ｂ    係止部
５      ピン挿入孔
６      中段部
１０    ピン
１１    頭部
１２    軸部
１３    回動手段
１３ａ  大溝部
１３ｂ  小溝部
１３ｃ  突起部
１４    凹部
Ｐ      被留め付け物（板材）
Ｑ      被留め付け物（板材）
【図１】
0003126590.tif 000003
【図２】
0003126590.tif 000004
【図３】
0003126590.tif 000005
【図４】
0003126590.tif 000006
【図５】
0003126590.tif 000007
【図６】
0003126590.tif 000008
【図７】
0003126590.tif 000009